(57)【要約】【課題】十分な電圧設定マージンを確保しつつ安定した書込み放電を発生させて、表示品質の高い画像を実現する。【解決手段】走査電極と維持電極とデータ電極とを有する放電セルを複数備えたプラズマディスプレイパネルを駆動する方法であって、初期化期間では、直前のサブフィールドの動作にかかわらず初期化放電を発生させる強制初期化動作と、直前の書込み期間で書込み放電を発生した放電セルのみで初期化放電を発生させる選択初期化動作とのいずれかを行い、選択初期化動作は、維持電極に第１の電圧を印加するとともに、走査電極に上り傾斜波形電圧を印加し、その後、走査電極に下り傾斜波形電圧を印加し、その後、走査電極に正の矩形状電圧を印加し、その後、走査電極に下り傾斜波形電圧を印加し、その後、維持電極に第１の電圧よりも高い第２の電圧を印加するとともに走査電極に下り傾斜波形電圧を印加して行われる。【選択図】図３
2011158871.tif 000002
【特許請求の範囲】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記初期化期間では、直前のサブフィールドの動作にかかわらず初期化放電を発生させる強制初期化動作と、直前の書込み期間で書込み放電を発生した放電セルのみで初期化放電を発生させる選択初期化動作とのいずれかを行い、
前記選択初期化動作は、前記維持電極に第１の電圧を印加するとともに、前記走査電極に上り傾斜波形電圧を印加し、その後、前記走査電極に下り傾斜波形電圧を印加し、その後、前記走査電極に正の矩形状電圧を印加し、その後、前記走査電極に下り傾斜波形電圧を印加し、その後、前記維持電極に第１の電圧よりも高い第２の電圧を印加するとともに前記走査電極に下り傾斜波形電圧を印加して行われることを特徴とするプラズマディスプレイパネルの駆動方法。
【請求項２】
前記上り傾斜波形電圧は正の電圧に向かって上昇し、前記下り傾斜波形電圧は負の電圧に向かって下降することを特徴とする請求項１に記載のプラズマディスプレイパネルの駆動方法。
【請求項３】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記初期化期間では、直前のサブフィールドの動作にかかわらず初期化放電を発生させる強制初期化動作と、直前の書込み期間で書込み放電を発生した放電セルのみで初期化放電を発生させる選択初期化動作とのいずれかを行い、
前記選択初期化動作は、前記維持電極を陰極とし前記走査電極を陽極とする１回目の放電を発生させ、その後、前記走査電極を陰極とし前記データ電極を陽極とする１回目の放電を発生させ、その後、前記維持電極を陰極とし前記走査電極を陽極とする２回目の放電を発生させ、その後、前記走査電極を陰極とし前記データ電極を陽極とする２回目の放電を発生させ、その後、前記走査電極を陰極とし前記データ電極を陽極とする３回目の放電を発生させて行われることを特徴とするプラズマディスプレイパネルの駆動方法。
【発明の詳細な説明】
【技術分野】
【０００１】
本発明は、プラズマディスプレイパネルの駆動方法に関する。
【背景技術】
【０００２】
交流面放電型のプラズマディスプレイパネル（以下、「パネル」と略記する）は、走査電極と維持電極とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間と書込み期間と維持期間とを有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作を行う。初期化動作は初期化放電を発生し、続く書込み動作に必要な壁電荷を形成する動作である。初期化動作には、直前のサブフィールドの動作にかかわらず初期化放電を発生させる強制初期化動作と、直前のサブフィールドで書込み放電を行った放電セルのみで初期化放電を発生させる選択初期化動作とがある。書込み動作は表示する画像に応じて放電セルで選択的に書込み放電を発生し壁電荷を形成する動作であり、維持動作は表示電極対に交互に維持パルスを印加して維持放電を発生させ、対応する放電セルの蛍光体層を発光させる動作である。
【０００４】
サブフィールド法の中でも最も低い階調である黒を表示する際の輝度（以下、「黒輝度」と略記する）を下げ、階調表示に関係しない発光を極力減らしてコントラストを向上させる駆動方法が検討されている。例えば特許文献１には、強制初期化動作を行うサブフィールドを１フィールドに１つとし、他のサブフィールドでは選択初期化動作を行うサブフィールドで構成する駆動方法が開示されている。
【０００５】
また特許文献２には、維持期間の最後において走査電極に上り傾斜波形電圧を印加し、その次の初期化期間において走査電極に下り傾斜波形電圧を印加して選択初期化動作を行う駆動方法が開示されている。
【先行技術文献】
【特許文献】
【０００６】
【特許文献１】特開２０００−２４２２２４号公報
【特許文献２】特開２００８−２５６７７４号公報
【発明の概要】
【発明が解決しようとする課題】
【０００７】
特許文献２に記載されているように、駆動電圧波形に傾斜波形電圧を用いるとリンギング等の波形ひずみが抑えられるので、各放電セルの各電極に駆動電圧波形を精度よく印加することができる。このため、初期化期間の駆動電圧に傾斜波形電圧を用いると、次の書込み期間では安定した書込み放電を発生させることができる。しかしながら、傾斜波形電圧を用いた放電は微弱な放電であり、また選択初期化動作を行うために各電極に印加できる電圧範囲は限られるので、それ以前の放電セルの壁電荷の履歴を完全に消去するだけの放電を発生させることが難しいという課題があった。そのために直前のサブフィールドで書込み放電を行った放電セルと書込み放電を行なわなかった放電セルとの駆動条件が異なり、その結果、駆動電圧波形の電圧設定マージンが狭くなるという課題があった。
【０００８】
本発明は上記課題に鑑みなされたものであり、十分な電圧設定マージンを確保しつつ安定した書込み放電を発生させて、表示品質の高い画像を表示することが可能なパネルの駆動方法を提供することを目的とする。
【課題を解決するための手段】
【０００９】
上記目的を達成するために本発明は、初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、前記初期化期間では、直前のサブフィールドの動作にかかわらず初期化放電を発生させる強制初期化動作と、直前の書込み期間で書込み放電を発生した放電セルのみで初期化放電を発生させる選択初期化動作とのいずれかを行い、前記選択初期化動作は、前記維持電極に第１の電圧を印加するとともに、前記走査電極に上り傾斜波形電圧を印加し、その後、前記走査電極に下り傾斜波形電圧を印加し、その後、前記走査電極に正の矩形状電圧を印加し、その後、前記走査電極に下り傾斜波形電圧を印加し、その後、前記維持電極に第１の電圧よりも高い第２の電圧を印加するとともに前記走査電極に下り傾斜波形電圧を印加して行われることを特徴とする。
【発明の効果】
【００１０】
本発明によれば、パネルにおいて十分な電圧設定マージンを確保しつつ安定した書込み放電を発生させて、表示品質の高い画像を表示することができる。
【図面の簡単な説明】
【００１１】
【図１】本発明の実施の形態におけるプラズマディスプレイ装置に用いるパネルの分解斜視図
【図２】同プラズマディスプレイ装置に用いるパネルの電極配列図
【図３】同プラズマディスプレイ装置に用いるパネルの各電極に印加する駆動電圧波形図
【図４】（Ａ）は維持パルスのパルス波高値である電圧の設定範囲を示す図、（Ｂ）は書込みパルスのパルス波高値である電圧の設定範囲を示す図
【図５】同プラズマディスプレイ装置の回路ブロック図
【図６】同プラズマディスプレイ装置の走査電極駆動回路の回路図
【図７】同プラズマディスプレイ装置の維持電極駆動回路の回路図
【発明を実施するための形態】
【００１２】
以下、本発明の実施の形態におけるプラズマディスプレイ装置について、図面を用いて説明する。
【００１３】
図１は、本発明の実施の形態におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１４】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１５】
なお、パネル１０の構造は上述したものに限られるわけではなく、例えばストライプ状の隔壁を備えたものであってもよい。
【００１６】
図２は、本発明の実施の形態におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１７】
次に、パネル１０を駆動するための駆動電圧波形とその動作について説明する。プラズマディスプレイ装置は、サブフィールド法、すなわち１フィールドを複数のサブフィールドに分割し、サブフィールド毎に各放電セルの発光・非発光を制御することによって画像を表示する。
【００１８】
それぞれのサブフィールドは、初期化期間、書込み期間、維持期間を有する。初期化期間では、それ以前の放電セルの壁電荷の履歴を消去し、続く書込み放電に必要な壁電荷を各電極上に形成する初期化動作を行う。書込み期間では、発光させるべき放電セルで選択的に書込み放電を発生し、壁電荷を形成する書込み動作を行う。維持期間では、サブフィールド毎にあらかじめ決められた輝度重みに応じた数の維持パルスを走査電極と維持電極に交互に印加して、書込み放電を発生した放電セルで維持放電を発生させて発光させる維持動作を行う。なお、発光輝度を低く抑えるために維持期間を省略してもよい。
【００１９】
サブフィールド構成としては、例えば、１フィールドを１０のサブフィールド（ＳＦ１、ＳＦ２、・・・、ＳＦ１０）に分割し、各サブフィールドはそれぞれ、（１、２、３、６、１１、１８、３０、４４、６０、８０）の輝度重みを持つものとする。そしてサブフィールドＳＦ１の初期化期間で強制初期化動作を行い、サブフィールドＳＦ２〜ＳＦ１０の初期化期間で選択初期化動作を行う。しかし本発明は上記のサブフィールド数、輝度重み等のサブフィールド構成に限定されるものではない。
【００２０】
図３は、本発明の実施の形態におけるプラズマディスプレイ装置の各電極に印加する駆動電圧波形図である。
【００２１】
サブフィールドＳＦ１の初期化期間では、まずデータ電極Ｄ１〜Ｄｍに電圧０（Ｖ）を印加し、維持電極ＳＵ１〜ＳＵｎにも電圧０（Ｖ）を印加する。そして走査電極ＳＣ１〜ＳＣｎに、維持電極ＳＵ１〜ＳＵｎに対する放電開始電圧以下の電圧Ｖｉ１から放電開始電圧を超える電圧Ｖｉ２に向かって緩やかに上昇する上り傾斜波形電圧を印加する。すると走査電極ＳＣ１〜ＳＣｎと維持電極ＳＵ１〜ＳＵｎとの間、走査電極ＳＣ１〜ＳＣｎとデータ電極Ｄ１〜Ｄｍとの間でそれぞれ微弱な初期化放電が起こり、走査電極ＳＣ１〜ＳＣｎ上に負の壁電圧が蓄積されるとともにデータ電極Ｄ１〜Ｄｍ上および維持電極ＳＵ１〜ＳＵｎ上に正の壁電圧が蓄積される。ここで電極上の壁電圧とは、電極を覆う誘電体層上、保護層上、蛍光体層上等に蓄積された壁電荷により生じる電圧を表す。
【００２２】
次に、維持電極ＳＵ１〜ＳＵｎに電圧Ｖｅを印加し、走査電極ＳＣ１〜ＳＣｎに電圧Ｖｉ３から電圧Ｖｉ４に向かって緩やかに下降する下り傾斜波形電圧を印加する。すると再び微弱な初期化放電が発生し、走査電極ＳＣ１〜ＳＣｎ上および維持電極ＳＵ１〜ＳＵｎ上の壁電圧が弱められる。またデータ電極Ｄ１〜Ｄｍの壁電圧の過剰な部分が放電され、書込み動作に適した壁電圧に調整される。このようにして、全ての放電セルで初期化放電が発生する強制初期化動作が完了する。
【００２３】
サブフィールドＳＦ１の書込み期間では、データ電極Ｄ１〜Ｄｍに電圧０（Ｖ）を、維持電極ＳＵ１〜ＳＵｎには電圧Ｖｅを引き続き印加し、走査電極ＳＣ１〜ＳＣｎに電圧Ｖｃを印加する。
【００２４】
次に、１行目の走査電極ＳＣ１に電圧Ｖａの走査パルスを印加するとともに発光すべき放電セルに対応するデータ電極Ｄｋに電圧Ｖｄの書込みパルスを印加する。するとデータ電極Ｄｋ上と走査電極ＳＣ１上との交差部の電圧差は、外部印加電圧の差（Ｖｄ−Ｖａ）にデータ電極Ｄｋ上の正の壁電圧が加算され放電開始電圧を超える。そしてデータ電極Ｄｋと走査電極ＳＣ１との間で放電が発生し、これが走査電極ＳＣ１と維持電極ＳＵ１との間の放電に伸展して書込み放電が起こる。そして走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００２５】
次に、２行目の走査電極ＳＣ２に走査パルスを印加するとともに、発光すべき放電セルに対応するデータ電極Ｄｋに書込みパルスを印加する。するとデータ電極Ｄｋと走査電極ＳＣ２との間および維持電極ＳＵ２と走査電極ＳＣ２との間で書込み放電が起こり、走査電極ＳＣ２上に正の壁電圧が蓄積され、維持電極ＳＵ２上に負の壁電圧が蓄積され、データ電極Ｄｋ上にも負の壁電圧が蓄積される。このようにして、２行目に発光させるべき放電セルで書込み放電を起こして各電極上に壁電圧を蓄積する書込み動作が行われる。一方、書込みパルスを印加しなかったデータ電極と走査電極ＳＣ２との交差部の電圧は放電開始電圧を超えないので、書込み放電は発生しない。
【００２６】
以下、ｎ行目の走査電極ＳＣｎに至るまで同様の書込み動作を行い、続く維持放電に必要な壁電荷を形成する。
【００２７】
サブフィールドＳＦ１の維持期間では、維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差が電圧Ｖｓに走査電極ＳＣｉ上の壁電圧と維持電極ＳＵｉ上の壁電圧との差を加算したものとなり走査電極ＳＣｉと維持電極ＳＵｉとの間の放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み放電が起きなかった放電セルでは維持放電は発生せず、初期化動作の終了時における壁電圧が保たれる。
【００２８】
続いて、走査電極ＳＣ１〜ＳＣｎに電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。
【００２９】
以降同様に、走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。
【００３０】
続くサブフィールドＳＦ２の初期化期間では、維持電極ＳＵ１〜ＳＵｎに第１の電圧である電圧０（Ｖ）を印加するとともに走査電極ＳＣ１〜ＳＣｎには電圧０（Ｖ）から正の電圧Ｖｒまで緩やかに上昇する上り傾斜波形電圧を印加する。なお本実施の形態においては、電圧Ｖｒは電圧Ｖｓと同じ電圧に設定されている。すると維持放電を行った放電セル（維持期間が省略されている場合は書込み放電を行った放電セル）では走査電極ＳＣｉを陽極とし維持電極ＳＵｉを陰極とする１回目の微弱な消去放電が発生する。そして走査電極ＳＣｉ上および維持電極ＳＵｉ上の壁電圧が弱められる。
【００３１】
次に、維持電極ＳＵ１〜ＳＵｎに電圧０（Ｖ）を印加したまま、走査電極ＳＣ１〜ＳＣｎには電圧０（Ｖ）から負の電圧Ｖｉ４に向かって緩やかに下降する下り傾斜波形電圧を印加する。すると微弱な消去放電を発生した放電セルで再び微弱な放電が発生する。このときの微弱放電は走査電極を陰極としデータ電極を陽極とする１回目の放電である。なお電圧Ｖｉ４は、走査パルスの電圧Ｖａと等しいか電圧Ｖａよりわずかに高い電圧に設定されている。
【００３２】
その後、走査電極ＳＣ１〜ＳＣｎに電圧Ｖｒの矩形電圧を時間Ｔｅの間印加する。すると微弱な消去放電を発生した放電セルで３度目の放電が発生する。このときの放電は走査電極を陽極とし維持電極を陰極とする２回目の放電であり、弱い放電である。
【００３３】
その後、維持電極ＳＵ１〜ＳＵｎに電圧０（Ｖ）を印加したまま、走査電極ＳＣ１〜ＳＣｎには電圧０（Ｖ）から電圧Ｖｉ４に向かって緩やかに下降する下り傾斜波形電圧を印加する。すると微弱な消去放電を発生した放電セルで４度目の放電が発生する。このときの放電は微弱な放電となり、この微弱放電は走査電極を陰極としデータ電極を陽極とする２回目の放電である。なお電圧Ｖｉ４は、走査パルスの電圧Ｖａと等しいか電圧Ｖａよりわずかに高い電圧に設定されている。
【００３４】
さらにその後、維持電極ＳＵ１〜ＳＵｎに第１の電圧よりも高い第２の電圧である電圧Ｖｅを印加し、走査電極ＳＣ１〜ＳＣｎには電圧０（Ｖ）から電圧Ｖｉ４に向かって緩やかに下降する下り傾斜波形電圧を印加する。すると放電を発生した放電セルで５度目の放電が発生する。このときの放電は走査電極を陰極としデータ電極を陽極とする３回目の放電である。そしてこの微弱放電により走査電極ＳＣｉ上、維持電極ＳＵｉ上の壁電圧、およびデータ電極Ｄｋ上の壁電圧の過剰な部分が放電され、書込み動作に適した壁電圧に調整される。このようにして初期化動作が完了する。
【００３５】
続くサブフィールドＳＦ２の書込み期間の動作はサブフィールドＳＦ１の書込み期間の動作と同じであり、サブフィールドＳＦ２の維持期間の動作は、維持パルス数を除きサブフィールドＳＦ１の維持期間の動作と同じである。またサブフィールドＳＦ３〜ＳＦ１０における動作は、維持パルス数を除きサブフィールドＳＦ２の動作と同様である。
【００３６】
なお、本実施の形態においては、電圧Ｖｉ１は２００（Ｖ）、電圧Ｖｉ２は４００（Ｖ）、電圧Ｖｉ３は２００（Ｖ）、電圧Ｖｉ４は−１８０（Ｖ）、電圧Ｖｃは−５５（Ｖ）、電圧Ｖａは−２００（Ｖ）、電圧Ｖｓは２００（Ｖ）、電圧Ｖｒは２００（Ｖ）、電圧Ｖｅは１５０（Ｖ）、電圧Ｖｄは６０（Ｖ）である。また時間Ｔｅは５０μｓである。しかしこれらの電圧値は上述した値に限定されるものではなく、パネルの放電特性やプラズマディスプレイ装置の仕様にもとづき最適に設定することが望ましい。
【００３７】
このように本実施の形態においては、初期化期間において、維持電極ＳＵｉを陰極とし走査電極ＳＣｉを陽極とする１回目の放電を発生させ、その後、走査電極ＳＣｉを陰極としデータ電極Ｄｊを陽極とする１回目の放電を発生させ、その後、維持電極ＳＵｉを陰極とし走査電極ＳＣｉを陽極とする２回目の放電を発生させ、その後、走査電極ＳＣｉを陰極としデータ電極Ｄｊを陽極とする２回目の放電を発生させ、その後、走査電極ＳＣｉを陰極としデータ電極Ｄｊを陽極とする３回目の放電を発生させている。さらにこれらの放電を弱い放電とし、それにともなう発光を抑えるために、維持電極ＳＵ１〜ＳＵｎに第１の電圧である０（Ｖ）を印加するとともに走査電極ＳＣ１〜ＳＣｎに上り傾斜波形電圧を印加し、その後、走査電極ＳＣ１〜ＳＣｎに下り傾斜波形電圧を印加し、その後、走査電極ＳＣ１〜ＳＣｎに正の矩形状電圧を印加し、その後、走査電極ＳＣ１〜ＳＣｎに下り傾斜波形電圧を印加し、その後、維持電極ＳＵ１〜ＳＵｎに第１の電圧よりも高い第２の電圧である電圧Ｖｅを印加するとともに走査電極ＳＣ１〜ＳＣｎに下り傾斜波形電圧を印加している。
【００３８】
このように、強い放電を発生させなくても、微弱な放電を複数回繰り返し発生させることによって各電極上に十分な壁電圧を蓄積することができ、続く書込み放電を安定して発生させることができる。
【００３９】
図４は、特許文献２に記載されている従来の駆動方法による電圧設定マージンと、本実施の形態における駆動方法による電圧設定マージンとを測定した実験結果であり、図４（Ａ）は、維持パルスのパルス波高値である電圧Ｖｓの設定範囲を、図４（Ｂ）は、書込みパルスのパルス波高値である電圧Ｖｄの設定範囲をそれぞれ示している。
【００４０】
図４（Ａ）に示すように、従来の駆動方法による電圧Ｖｓの設定範囲は１７０（Ｖ）〜１８３（Ｖ）であり、本実施の形態における駆動方法による電圧Ｖｓの設定範囲は１７０（Ｖ）〜２１０（Ｖ）である。このように本実施の形態における駆動方法によれば、従来の駆動方法に比較して、電圧設定マージンが大幅に広がっていることがわかる。
【００４１】
本実施の形態における駆動方法で駆動マージンが広がる理由について、例えば次のように考えることができる。維持期間において表示電極対に維持パルスを印加した後に、走査電極に電圧Ｖｒまで上昇する上り傾斜波形電圧を印加して消去放電を発生させる。このとき、維持放電が発生した放電セルでのみ消去放電を発生させるためには、電圧Ｖｒをあまり高く設定することができず、電圧Ｖｓと同程度の電圧でなければならない。そしてそのときの放電では壁電圧を完全に消去することができず、維持放電で蓄積された壁電荷が残留する。従来の駆動方法によれば、この残留した壁電圧が維持パルスに加算されるため、選択初期化動作に続く書込み期間において書込み動作を行わなかった放電セルであっても、続く維持期間において維持放電が発生する確率が高くなる。そのため電圧Ｖｓを高く設定することができない。
【００４２】
しかしながら本実施の形態における駆動方法によれば、維持期間において表示電極対に維持パルスを印加した後に、維持電極を陰極とし走査電極を陽極とする放電を２回、および走査電極を陰極としデータ電極を陽極とする放電を３回発生させる。そのため維持放電で蓄積された壁電荷が残留することなく消去され、書込み期間において書込み動作を行わなかった放電セルで維持放電が発生する恐れがなく、電圧Ｖｓを高く設定することができる。
【００４３】
また、  図４（Ｂ）に示すように、従来の駆動方法による電圧Ｖｄの設定範囲の下限が５８（Ｖ）であり、本実施の形態における駆動方法による電圧Ｖｄの設定範囲の下限は、時間Ｔｅ＝４０μｓの場合に５５（Ｖ）、時間Ｔｅ＝５５μｓの場合に５２（Ｖ）である。このように本実施の形態における駆動方法によれば、従来の駆動方法に比較して、電圧Ｖｄの電圧設定マージンも広がっていることがわかる。
【００４４】
このように、本発明の実施の形態におけるパネルの駆動方法によれば、従来のパネルの駆動方法に比較して、電圧Ｖｓおよび電圧Ｖｄの電圧設定マージンを広げることができる。上記以外にも、走査パルスのパルス波高値等についても電圧設定マージンを広げることができる。なお、電圧Ｖｄの設定範囲、および走査パルスのパルス波高値の設定範囲は走査電極に電圧Ｖｒの矩形電圧を印加する時間Ｔｅの依存性があり、時間Ｔｅを長く設定すると電圧設定マージンも広がる傾向がある。しかし実用上は時間Ｔｅを５０μｓ程度に設定すれば十分な電圧設定マージンを確保することができる。
【００４５】
次に、パネル１０を駆動するための駆動回路について説明する。図５は、本発明の実施の形態におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００４６】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する書込みパルスに変換し各データ電極Ｄ１〜Ｄｍに印加する。タイミング発生回路４５は水平同期信号Ｈおよび垂直同期信号Ｖをもとにして各回路ブロックの動作を制御する各種のタイミング信号を発生し、それぞれの回路ブロックへ供給する。走査電極駆動回路４３は、タイミング信号にもとづいて上述した駆動電圧波形を発生し各走査電極ＳＣ１〜ＳＣｎのそれぞれに印加する。維持電極駆動回路４４は、タイミング信号にもとづいて上述した駆動電圧波形を発生し維持電極ＳＵ１〜ＳＵｎに印加する。
【００４７】
図６は、本発明の実施の形態におけるプラズマディスプレイ装置４０の走査電極駆動回路４３の回路図である。走査電極駆動回路４３は、維持パルス発生回路５０と、傾斜波形電圧発生回路６０と、走査パルス発生回路７０とを備えている。
【００４８】
維持パルス発生回路５０は、電力回収回路５１と、スイッチング素子Ｑ５５と、スイッチング素子Ｑ５６と、スイッチング素子Ｑ５９とを有し、走査電極ＳＣ１〜ＳＣｎに印加する維持パルスを発生する。電力回収回路５１は走査電極ＳＣ１〜ＳＣｎを駆動するときの電力を回収して再利用する。スイッチング素子Ｑ５５は走査電極ＳＣ１〜ＳＣｎを電圧Ｖｓにクランプし、スイッチング素子Ｑ５６は走査電極ＳＣ１〜ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止するために設けられている。
【００４９】
走査パルス発生回路７０は、スイッチング素子Ｑ７１Ｈ１〜Ｑ７１Ｈｎ、Ｑ７１Ｌ１〜Ｑ７１Ｌｎ、スイッチング素子Ｑ７２を有する。そして電圧Ｖａの電源、および走査パルス発生回路７０の基準電位（図６に示した節点Ａの電位）に重畳された電圧（Ｖｃ−Ｖａ）の電源Ｅ７１をもとにして走査パルスを発生し、走査電極ＳＣ１〜ＳＣｎのそれぞれに、図３に示したタイミングで走査パルスを順次印加する。なお、走査パルス発生回路７０は、維持動作時には維持パルス発生回路５０の出力電圧をそのまま出力する。すなわち、節点Ａの電圧を走査電極ＳＣ１〜ＳＣｎへ出力する。
【００５０】
傾斜波形電圧発生回路６０は、ミラー積分回路６１、６２、６３を備え、図３に示した傾斜波形電圧を発生させる。ミラー積分回路６１は、トランジスタＱ６１とコンデンサＣ６１と抵抗Ｒ６１とを有し、入力端子ＩＮ６１に一定の電圧を印加することにより、電圧Ｖｉ２に向かって緩やかに上昇する上り傾斜波形電圧を発生する。ミラー積分回路６２は、トランジスタＱ６２とコンデンサＣ６２と抵抗Ｒ６２と逆流防止用のダイオードＤ６２とを有し、入力端子ＩＮ６２に一定の電圧を印加することにより、電圧Ｖｒに向かって緩やかに上昇する上り傾斜波形電圧を発生する。ミラー積分回路６３は、トランジスタＱ６３とコンデンサＣ６３と抵抗Ｒ６３とを有し、入力端子ＩＮ６３に一定の電圧を印加することにより、電圧Ｖｉ４に向かって緩やかに低下する下り傾斜波形電圧を発生する。なおスイッチング素子Ｑ６９も分離スイッチであり、走査電極駆動回路４３を構成するスイッチング素子の寄生ダイオード等を介して電流が逆流するのを防止するために設けられている。
【００５１】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００５２】
図７は、本発明の実施の形態におけるプラズマディスプレイ装置４０の維持電極駆動回路４４の回路図である。維持電極駆動回路４４は、維持パルス発生回路８０と、一定電圧発生回路８５とを備えている。
【００５３】
維持パルス発生回路８０は、電力回収回路８１と、スイッチング素子Ｑ８３と、スイッチング素子Ｑ８４とを有し、維持電極ＳＵ１〜ＳＵｎに印加する維持パルスを発生する。電力回収回路８１は維持電極ＳＵ１〜ＳＵｎを駆動するときの電力を回収して再利用する。スイッチング素子Ｑ８３は維持電極ＳＵ１〜ＳＵｎを電圧Ｖｓにクランプし、スイッチング素子Ｑ８４は維持電極ＳＵ１〜ＳＵｎを電圧０（Ｖ）にクランプする。
【００５４】
一定電圧発生回路８５は、スイッチング素子Ｑ８６、Ｑ８７を有し、維持電極ＳＵ１〜ＳＵｎに電圧Ｖｅを印加する。
【００５５】
なお、これらのスイッチング素子も、ＭＯＳＦＥＴやＩＧＢＴ等の一般に知られた素子を用いて構成することができる。またこれらのスイッチング素子も、タイミング発生回路４５で発生したそれぞれのスイッチング素子に対応するタイミング信号により制御される。
【００５６】
図６に示した走査電極駆動回路４３および図７に示した維持電極駆動回路４４を用いて、サブフィールドＳＦ２の初期化期間において走査電極ＳＣ１〜ＳＣｎおよび維持電極ＳＵ１〜ＳＵｎに印加する駆動電圧波形を発生する方法について説明する。なおここでも電圧Ｖｒは電圧Ｖｓと同じ電圧に設定されているものとする。
【００５７】
維持電極ＳＵ１〜ＳＵｎに電圧０（Ｖ）を印加するには、スイッチング素子Ｑ８４をオンにする。走査電極ＳＣ１〜ＳＣｎに電圧Ｖｒまで緩やかに上昇する上り傾斜波形電圧を印加するには、スイッチング素子Ｑ７１Ｌ１〜Ｑ７１Ｌｎ、スイッチング素子Ｑ６９をオンにし、入力端子ＩＮ６２に電圧を印加してミラー積分回路６２を動作させる。
【００５８】
次に、走査電極ＳＣ１〜ＳＣｎに電圧０（Ｖ）から電圧Ｖｉ４に向かって緩やかに下降する下り傾斜波形電圧を印加するには、ミラー積分回路６２のトランジスタＱ６２をオフにし、スイッチング素子Ｑ５６をオンにして、走査電極ＳＣ１〜ＳＣｎに電圧０（Ｖ）を印加する。そしてスイッチング素子Ｑ５６、Ｑ６９をオフにし、入力端子ＩＮ６３に電圧を印加してミラー積分回路６３を動作させる。
【００５９】
その後、走査電極ＳＣ１〜ＳＣｎに電圧Ｖｒの矩形電圧を印加するには、ミラー積分回路６３のトランジスタＱ６３をオフにし、スイッチング素子Ｑ６９、Ｑ５９、Ｑ５５をオンにする。
【００６０】
その後、走査電極ＳＣ１〜ＳＣｎに電圧０（Ｖ）から電圧Ｖｉ４に向かって緩やかに下降する下り傾斜波形電圧を印加するには、ミラー積分回路６２のトランジスタＱ６２をオフにし、スイッチング素子Ｑ５６をオンにして、走査電極ＳＣ１〜ＳＣｎに電圧０（Ｖ）を印加する。そしてスイッチング素子Ｑ５６、Ｑ６９をオフにし、入力端子ＩＮ６３に電圧を印加してミラー積分回路６３を動作させる。
【００６１】
さらにその後、維持電極ＳＵ１〜ＳＵｎに電圧Ｖｅを印加するには、スイッチング素子Ｑ８４をオフにし、スイッチング素子Ｑ８６、Ｑ８７をオンにする。
【００６２】
走査電極ＳＣ１〜ＳＣｎに電圧０（Ｖ）から電圧Ｖｉ４に向かって緩やかに下降する下り傾斜波形電圧を印加するには、ミラー積分回路６２のトランジスタＱ６２をオフにし、スイッチング素子Ｑ５６をオンにして、走査電極ＳＣ１〜ＳＣｎに電圧０（Ｖ）を印加する。そしてスイッチング素子Ｑ５６、Ｑ６９をオフにし、入力端子ＩＮ６３に電圧を印加してミラー積分回路６３を動作させる。
【００６３】
なお走査電極ＳＣ１〜ＳＣｎの電圧が電圧Ｖｉ４に到達する直前に維持電極駆動回路４４のスイッチング素子Ｑ８６、Ｑ８７をオフにして、維持電極ＳＵ１〜ＳＵｎをハイインピーダンス状態としてもよい。このように駆動することにより、続く書込み動作をさらに安定して発生させることができる。図３には、このような駆動電圧波形を示した。
【００６４】
このようにして、図３に示したパネルの駆動電圧波形を発生させることができる。しかし図５〜図７に示した駆動回路は一例であって、本発明がこれらの駆動回路の回路構成に限定されるものではない。
【００６５】
なお、実施の形態において示した具体的な数値等は単に一例を示したに過ぎず、パネルの特性やプラズマディスプレイ装置の仕様等にあわせて最適に設定することが望ましい。
【産業上の利用可能性】
【００６６】
本発明は、十分な電圧設定マージンを確保しつつ安定した書込み放電を発生させて、表示品質の高い画像を表示することができるので、パネルの駆動方法として有用である。
【符号の説明】
【００６７】
１０  パネル
２２  走査電極
２３  維持電極
２４  表示電極対
３２  データ電極
４０  プラズマディスプレイ装置
４１  画像信号処理回路
４２  データ電極駆動回路
４３  走査電極駆動回路
４４  維持電極駆動回路
４５  タイミング発生回路
５０、８０  維持パルス発生回路
５１、８１  電力回収回路
６０  傾斜波形電圧発生回路
６１、６２、６３  ミラー積分回路
７０  走査パルス発生回路
８５  一定電圧発生回路
【図１】
2011158871.tif 000003
【図２】
2011158871.tif 000004
【図３】
2011158871.tif 000005
【図４】
2011158871.tif 000006
【図５】
2011158871.tif 000007
【図６】
2011158871.tif 000008
【図７】
2011158871.tif 000009